(57)【要約】【課題】  鋼材とコンクリートとの一体性を保ち、防食性能および構造性能の低下を起こす恐れのない、低コストなコンクリート境界面の鋼材の防食構造および防食方法並びに合成セグメントの防食構造および防食方法の提供。【解決手段】  鋼材とコンクリートとの境界面における鋼材の防食構造において、コンクリートと当接する鋼材の表面にポリマーセメント層を設け、ポリマーセメント層の外側にコンクリートを設けたことを特徴とする。また、鋼製系セグメント４の内部にコンクリート５を充填する合成セグメントの防食構造において、鋼製系セグメント本体４ａの内側表面またはトンネル半径方向内側から所定の中間部の位置までの内側表面にポリマーセメント層３を設けて被覆し、ポリマーセメント層３を埋め込むようにセグメント内部にコンクリート５を充填したことを特徴とする。【選択図】  図２
2005232815.tif 000002
【特許請求の範囲】
【請求項１】
コンクリートと当接する鋼材の表面にポリマーセメント層を設け、前記ポリマーセメント層の外側にコンクリートを設けたことを特徴とする鋼材とコンクリートとの境界面における鋼材の防食構造。
【請求項２】
鋼製系セグメントの内部にコンクリートを充填する合成セグメントの防食構造において、鋼製系セグメント本体の内側表面にポリマーセメント層を設けて被覆し、前記ポリマーセメント層を埋め込むようにセグメント内部にコンクリートを充填したことを特徴とする合成セグメントの防食構造。
【請求項３】
鋼製系セグメント本体を構成する主桁と継手板とスキンプレートの内側全面、またはこれらのトンネル半径方向内側から所定の中間部の位置までの内側表面にポリマーセメント層を設けて被覆し、前記ポリマーセメント層を埋め込むようにセグメント内部にコンクリートを充填したことを特徴とする請求項２に記載の合成セグメントの防食構造。
【請求項４】
前記主桁及び継手板のトンネル半径方向内側となる上面に、ポリマーセメント層が設けられ、そのポリマーセメント層を埋め込むようにコンクリート層がセグメント内のコンクリートと一体に設けられていることを特徴とする請求項２または３に記載の合成セグメントの防食構造。
【請求項５】
前記主桁に架設された補強リブの表面またはトンネル半径方向内側面に、ポリマーセメント層が設けられ、そのポリマーセメント層を埋め込むようにコンクリートが設けられていることを特徴とする請求項２〜４のいずれかに記載の合成セグメントの防食構造。
【請求項６】
コンクリートと当接する鋼材の表面をポリマーセメント層で被覆し、次いで、前記ポリマーセメント層の外側にコンクリートを打設することを特徴とする鋼材とコンクリートとの境界面における鋼材の防食方法。
【請求項７】
鋼製系セグメントの内部にコンクリートを充填する合成セグメントの防食方法において、鋼製系セグメントの内側全面またはトンネル半径方向内側から所定の中間部の位置までの内側表面をポリマーセメント層で被覆し、次いで、鋼製系セグメントの内部にコンクリートを充填することを特徴とする合成セグメントの防食方法。
【請求項８】
前記主桁及び継手板のトンネル半径方向内側となる上面をポリマーセメント層で被覆し、そのポリマーセメント層を埋め込むようにコンクリート層がセグメント内のコンクリートと一体に設けることを特徴とする請求項７記載の合成セグメントの防食方法。
【発明の詳細な説明】
【技術分野】
【０００１】
本発明は、鋼材とコンクリートとの接合部や鋼材とコンクリートとの一体構造等、鋼材とコンクリートが接触する部位で、かつ空気や海水など腐食環境に直接さらされる部位の防食に関し、特に、鋼材とコンクリートとの境界面における鋼材の防食構造および防食方法並びに合成セグメントの防食構造および防食方法に関する。本発明は、建設分野において、腐食環境下に直接さらされる鋼とコンクリートとの合成構造物に広く適用できる。
【背景技術】
【０００２】
従来、図６（ａ）に示すように、基礎コンクリート２ａ等のコンクリート２に埋め込み固定される鋼製橋脚１ａ等の鋼材１に防食を施す場合、一般的にエポキシ樹脂塗装などの防食塗装１４、あるいは亜鉛メッキなどのメッキによる防食方法が行われている。
【０００３】
また、図６（ｂ）に示すように、鋼製系セグメント４の内部にコンクリート５を充填してなる合成セグメント９に防食を施す場合、一般的に、鋼製系セグメント本体４ａの表面にエポキシ樹脂塗装などの防食塗装１４、あるいは、亜鉛メッキなどのメッキによる防食方法が行われている。
【０００４】
また、特許文献１には、コンクリートから露出した鋼材あるいはコンクリートの表面の防食を目的としてポリマーセメントを鋼材あるいはコンクリートの表面に塗布した例が示されている。
【特許文献１】特開平１０−１５２９０６
【発明の開示】
【発明が解決しようとする課題】
【０００５】
しかし、鋼材１にエポキシ樹脂などの通常の防食塗装１４をした場合、鋼材１とコンクリート２（２ａ）との密着性が悪く、コンクリート２の収縮や外力による変形が起こった場合、鋼板等の鋼材１とコンクリート２との境界面Ａが、例えば、図６（ａ）に２点鎖線Ｂで示すように剥がれ、鋼材１とコンクリート２との一体性が失われ、また、鋼材１とコンクリート２との隙間から雨水等が浸入して鋼材１が腐食しやすく、防食性能が低下する。また、鋼材１とコンクリート２との一体性が失われることにより、構造性能が低下する恐れがあった。
【０００６】
前記の問題点は、図６（ｂ）に示す鋼・コンクリートの鋼製系合成セグメントでも同様な問題であり、鋼製セグメント本体４ａ内面にエポキシ樹脂などの通常の防食塗装１４をした場合、セグメント本体４ａとコンクリート５との密着性が強くないため、コンクリート５の収縮や外力による変形が起こった場合、鋼製セグメント本体４ａとコンクリート５との境界面Ａが、例えば、図６（ｂ）に２点鎖線Ｂで示すように剥がれる恐れがあり、鋼製セグメント本体４ａの内面と内部コンクリート５との一体性が失われ、鋼製セグメント本体４ａ内面とコンクリート２との隙間から雨水等が浸入してセグメント内面が腐食しやすく、防食性能が低下する恐れがある。また、鋼製セグメント本体４ａとコンクリート５との一体性が失われることにより、構造性能が低下する恐れがあった。
【０００７】
さらに、図６（ｂ）に示すような鋼製系セグメント４の本体４ａの表面にメッキを施した場合には、メッキ時の入熱により、鋼製系セグメント本体４ａに変形が生じ、鋼製系セグメントの製造精度確保が困難となり、メッキ後に、鋼製系セグメントの矯正が必要となるため、鋼製系セグメント４のコストアップとなるなどの問題があった。
また、特許文献１における発明のようにコンクリートから露出した鉄骨や鉄筋などの鋼材表面に塗布した例はあるが、コンクリート内部の鋼材あるいはコンクリートと鋼材との境界面における鋼材の防食を目的としてポリマーセメントで防食された例はない。
【０００８】
本発明は、鋼製系セグメント４を含む鋼材１とコンクリート２，５との一体性を保ち、防食性能および構造性能の低下を起こす恐れのない、鋼材とコンクリート境界面における鋼材の低コストな防食構造および防食方法並びに合成セグメントの防食構造および防食方法を提供することを目的とする。
【課題を解決するための手段】
【０００９】
前記の従来の問題点を有利に解決するために、第１発明における鋼材とコンクリート境界面における鋼材の防食構造においては、鋼材１とコンクリート２との境界面における鋼材の防食構造において、コンクリート２と当接する鋼材１の表面にポリマーセメント層３を設け、前記ポリマーセメント層３の外側にコンクリート２を設けたことを特徴とする。
なお、本発明においてポリマーセメントとは、セメントと骨材にポリマーを加え、水で練り混ぜたものを意味し、骨材の粒径によって、ポリマーセメントモルタル、ポリマーセメントフィラー、また、骨材を用いないポリマーセメントペーストを含む。また、ポリマーの種類は特に限定しない。
【００１０】
また、第２発明の合成セグメントの防食構造においては、鋼製系セグメント４の内部にコンクリート５を充填する合成セグメントの防食構造において、鋼製系セグメント本体４ａの内側表面にポリマーセメント層３を設けて被覆し、前記ポリマーセメント層３を埋め込むようにセグメント内部にコンクリート５を充填したことを特徴とする。
【００１１】
さらにまた、第３発明の合成セグメントの防食構造においては、第２発明において、鋼製系セグメント本体４ａを構成する主桁６と継手板７とスキンプレート１０の内側全面またはこれらのトンネル半径方向内側から所定の中間部の位置までの内側表面にポリマーセメント層３を設けて被覆し、前記ポリマーセメント層３を埋め込むようにセグメント内部にコンクリート５を充填したことを特徴とする。
【００１２】
なおまた、第４発明においては、第２または第３発明において、主桁６及び継手板７のトンネル半径方向内側となる上面８に、ポリマーセメント層３が設けられ、そのポリマーセメント層を埋め込むようにコンクリート層がセグメント内のコンクリートと一体に設けられていることを特徴とする。
【００１３】
また、第５発明においては、第２発明〜第４発明のいずれかに記載の合成セグメントの防食構造において、前記主桁６に架設された補強リブ１１の表面またはトンネル半径方向内側面に、ポリマーセメント層３が設けられ、そのポリマーセメント層３を埋め込むようにコンクリート５（またはコンクリート５およびコンクリート層１２）が設けられていることを特徴とする。
【００１４】
さらに、第６発明の鋼材とコンクリートとの境界面における鋼材の防食方法においては、コンクリート２と当接する鋼材１の表面をポリマーセメント層３で被覆し、次いで、前記ポリマーセメント層３の外側にコンクリート２を打設することを特徴とする。
【００１５】
また、第７発明の合成セグメントの防食方法においては、鋼製系セグメント４の内部にコンクリート５を充填する合成セグメント９の防食方法において、鋼製系セグメント４の内側全面またはトンネル半径方向内側から所定の中間部の位置までの内側表面をポリマーセメント層３で被覆し、次いで、鋼製系セグメント４の内部にコンクリート５を充填することを特徴とする。
【００１６】
また、第８発明においては、第７発明において、鋼製系セグメント４の内部および主桁６及び継手板７のトンネル半径方向内側となる上面８をポリマーセメント層３で被覆し、そのポリマーセメント層３を埋め込むようにコンクリート層がセグメント内のコンクリート５と一体に設けることを特徴とする。
本発明でいう内側表面とは、主桁6、継手板7およびスキンプレート10で囲まれる箱状の内側に位置する鋼材の表面を意味し、主桁6および継手板７の側面、スキンプレート１０の内側表面および補強リブ１１の表面その他の鋼材表面すべてを含む。
【発明の効果】
【００１７】
第１発明によると、鋼材とコンクリートとの境界面における鋼材の防食構造において、コンクリートと当接する鋼材の表面にポリマーセメント層を設け、前記ポリマーセメント層の外側にコンクリートを設けたので、鋼材とコンクリートとの一体性を保ち、防食性能および構造性能の低下を起こす恐れのない、低コストなコンクリート境界面の鋼材の防食構造とすることができる。
【００１８】
第２発明によると、鋼製系セグメントの内部にコンクリートを充填する合成セグメントの防食構造において、鋼製系セグメント本体の内側表面にポリマーセメント層を設けて被覆し、前記ポリマーセメント層を埋め込むようにセグメント内部にコンクリートを充填したので、鋼製セグメントとコンクリートとの一体性を保ち、合成セグメントの防食性能および構造性能の低下を起こす恐れのない、低コストな合成セグメントの防食構造とすることができる。
【００１９】
また、第３発明によると、鋼製系セグメントの内部にコンクリートを充填する合成セグメントの防食構造において、鋼製系セグメント本体の内側全面またはトンネル半径方向内側から所定の中間部の位置までの内側表面にポリマーセメント層を設けて被覆し、前記ポリマーセメント層の外側を含むセグメント内部にコンクリートを充填したので、鋼製セグメントとコンクリートとの一体性を保ち、合成セグメントの防食性能および構造性能の低下を起こす恐れのない、低コストな合成セグメントの防食構造とすることができる。特に、鋼製系セグメント本体のトンネル半径方向内側から所定の中間部の位置までの内側表面にポリマーセメント層を設ける場合は、ポリマーセメントの塗布量を少なくして経済的に鋼製系セグメントの防食およびコンクリートとの一体化を図ることができる。
【００２０】
さらにまた、第４発明によると、主桁及び継手板のトンネル半径方向内側となる上面に、ポリマーセメント層が設けられ、そのポリマーセメント層を埋め込むようにコンクリート層がセグメント内のコンクリートと一体に設けられていると、鋼製系セグメント本体におけるトンネル半径方向内側の最もかぶりコンクリートから近い鋼材面の防食を確実にして、セグメント内部への腐食の進行を防止することができ、高い防食性能の合成セグメントとすることができる。
【００２１】
なおまた、第５発明によると、主桁に架設された補強リブの表面またはトンネル半径方向内側面に、ポリマーセメント層が設けられ、そのポリマーセメント層を埋め込むようにコンクリートが設けられているので、補強リブの防食を図りながら補強リブとセグメント内のコンクリートとの一体化を図ることができるので、合成セグメントの一体化をさらに高めることができる。
【００２２】
また、第６発明によると、鋼材とコンクリートとの境界面における鋼材の防食方法において、コンクリートと当接する鋼材の表面をポリマーセメント層で被覆し、次いで、前記ポリマーセメント層の外側にコンクリートを打設するので、鋼材の表面にコンクリートとの密着を確実に図ることができるポリマーセメント層を形成でき、また鋼材とコンクリートとの一体性の高い鋼・コンクリート構造物とすることができる。
【００２３】
さらに、第７発明によると、鋼製系セグメントの内部にコンクリートを充填する合成セグメントの防食方法において、鋼製系セグメント内側表面またはトンネル半径方向内側から所定の中間部の位置までの内側表面にポリマーセメント層を設けて被覆し、次いで、鋼製系セグメントの内部にコンクリートを充填したので、簡単に鋼製セグメント本体とコンクリートとの一体性を保つことができ、合成セグメントの防食性能および構造性能の低下を起こす恐れのない、低コストな合成セグメントを容易に製造することができる。特に、鋼製系セグメント本体のトンネル半径方向内側から所定の中間部の位置までの内側表面にポリマーセメント層を設ける場合は、ポリマーセメントの塗布量の少ない経済的な合成セグメントとすることができる。
【００２４】
また、第８発明によると、主桁及び継手板のトンネル半径方向内側となる上面をポリマーセメント層で被覆し、そのポリマーセメント層を埋め込むようにコンクリート層がセグメント内のコンクリートと一体に設けるので、合成セグメントにおける主桁および継手板のトンネル半径方向内側の表面側をコンクリートにより被覆する場合にも、単にポリマーセメント層をこれらの表面に設けて、コンクリート層を形成するだけで、主桁および継手板のトンネル半径方向表面側を確実に防食することができ、しかもこれらの表層側のコンクリート層を、セグメント内部のコンクリートとの一体化も容易であるなどの効果がある。
【発明を実施するための最良の形態】
【００２５】
次に、本発明を図示の実施形態に基づいて詳細に説明する。
＜第１実施形態＞
図１（ａ）および（ｂ）は、本発明における鋼材とコンクリートとの境界面における鋼材の防食構造および防食方法を、コンクリート基礎２ａと、鋼製橋脚１ａからなる鋼材１に適用した第１実施形態を示すものであって、鋼製橋脚１ａの下部外表面におけるコンクリート基礎２ａに埋め込み固定される部分およびその上部付近の内外表面１ｂに付着する汚れ・油類除去をすると共に錆の除去等の素地調整をした後、その部分にポリマーセメントを塗装して、ポリマーセメント層３（図１（ａ）中斜線部分）を形成し、前記ポリマーコンクリート層３が硬化した後、そのポリマーセメント層３の所定の部分を被覆するように、鋼製橋脚１ａの下部周囲にコンクリート２を打設してコンクリート基礎２ａが形成されている。なお、筒状鋼製橋脚１ａの下端面にも、内外面に形成したポリマーセメント層３と同様にポリマーセメント層を形成してもよい。
【００２６】
前記の鋼製橋脚１ａの素地調整およびポリマーセメント層３の塗装は、現場において施工してもよく、短尺の鋼製橋脚ブロック等の場合には、工場において施工し、現場に搬送して橋脚を組み立てるようにしてもよい。
【００２７】
前記のポリマーセメント層３の施工に際しては、特に一体性を高めるために、砕石や砂利等の骨材をポリマーセメントに混合しても良い。
【００２８】
このように、ポリマーセメントで覆う範囲は、鋼材の全面でなくてもよく、この実施形態のように、鋼材１とコンクリート２との境界面およびその周辺に、あるいは、腐食の起点となる部分および腐食の激しい部分等の必要な部分に部分的に塗装してもよく、ポリマーセメント層３の厚さも、例えば、１ｍｍ〜５ｍｍ（後記の鋼製系セグメントの場合には、１ｍｍ〜４ｍｍ、好ましくは、１ｍｍ〜２ｍｍ）と、各技術分野において設計上必要な所用の厚さでよい。
【００２９】
また、ポリマーセメントの施工方法もローラー塗り、はけ塗り、吹き付け塗装など何の方法を採用しても良い。
【００３０】
このように、防食すべき鋼材１の表面にポリマーセメント層３を形成し、そのポリマーセメント層３が硬化した後、ポリマーセメント層３の外側にコンクリート２を設けると、硬化したポリマーセメント層３の表面は硬化時の水和反応で消費されなかった水分が蒸発した跡が無数に存在するため多孔状となっているので、コンクリートの硬化時に前記多孔状部に水和生成物が浸入形成され、鋼材１とコンクリート２との付着性が強くなる。そのため、ポリマーセメント層３で鋼材１の表面を覆い、次いでコンクリート２を打設することにより、鋼材１とコンクリート２との一体性を高め、鋼材１（鋼製橋脚１ａ）の防食性能および構造性能の低下を防止することができる。また、従来のエポキシ系防食塗膜に比べて、ポリマーセメント層３自身の温度変化および外力による変形に対する追随性が高いので、鋼材１とコンクリート基礎２ａとの剥離を防止することができる。
【００３１】
＜第２実施形態＞
図２および図３は、本発明における鋼材とコンクリートとの境界面における鋼材の防食構造および防食方法をセグメントに適用した合成セグメントの防食構造を示す第２実施形態である。
【００３２】
この実施形態の鋼製系セグメント４における鋼製系セグメント本体４ａは、間隔をおいて平行に配置された鋼板製主桁６と、その両端側に渡って一体に設けられる鋼板製継手板７と、これらの主桁６と継手板７の地山側に一体に設けられる鋼製面板からなるスキンプレート１０並びに前記主桁６に渡って架設されて溶接により固定されると共に前記スキンプレート１０に溶接により固定されている断面ほぼＬまたは逆Ｊ字状の鋼製補強リブ１１等により構成されている。
【００３３】
そして、セグメント本体４ａ内部（内側）における腐食を特に防止したい部分であり、腐食の起点あるいは腐食が激しい部分となる恐れのある、鋼製系セグメント本体４ａのトンネル半径方向内側から所定の中間部の位置まで（例えば、図示の場合は、ほぼ中央部まで）の各主桁６と継手板７と補強リブ１１の各部材の部材巾方向中央部または中間部までのセグメント内表面を、前記実施形態と同様にこれらの部材の下地調整した後、ポリマーセメント層３が形成されている。このように、鋼製系セグメント本体４ａのトンネル半径方向（セグメント壁厚方向）におけるセグメント内の所定の中間部まで、ポリマーセメント層３を設けると、内面全面を被覆する場合に比べて、低コストでコンクリート５との一体性の高い防食層を形成することができる。
【００３４】
通常、鋼製系セグメントの腐食は、トンネル内面のコンクリート表面からの、かぶり深さが浅い部分から腐食が進行するため、主桁６および継手板７の上面８を含めてコンクリートのかぶり部分から所要範囲をポリマーセメント層３で被覆すればよい。ここで、前記の「主桁６および継手板７の上面８」とは、トンネル完成時にトンネル内面側となる面である。
【００３５】
また、前記実施形態では、主桁６および継手板７の上面全体にポリマーセメント層３を形成し、その部分のポリマーセメント層３を埋め込むように、トンネル内側のコンクリート層１２が、セグメント内部のコンクリート５の打設時に同時に設けられて、コンクリート５と一体に設けられている。
【００３６】
このような合成セグメント９を工場において製作する場合には、予め鋼製系セグメント本体４ａの主桁６または継手板７に固定する型枠を高い側型枠をもちいればよく、このような防食性能および構造性能の高いプレキャスト製の合成セグメントを使用してシールドトンネルを構築すると、防食性能および構造性能の高いシールドトンネルとすることができる。
【００３７】
さらに、前記実施形態では、トンネル半径方向内側面である補強リブ１１の上面８にもポリマーセメント層３を形成している。なお、補強リブ１１の裏面側にもポリマーセメント層３を設けるようにしてもよい。なお、補強リブ１１を平板状の補強リブとした場合には、板状補強リブのトンネル半径方向内側面となる上面８およびトンネル周方向の補強リブ両面に、ポリマーセメント層３を設けるようにするとよい。なお、トンネル半径方向の補強リブ１１の内側面を主桁６または継手板７と同じつらになるような広幅の補強リブとしてもよい。
【００３８】
また、主桁６と継手板７とスキンプレート１０の外面等のセグメント外面１３は、セグメント製作時またはセグメント搬送時あるいは施工時に傷がつきやすいために、別途、防食塗装などを施せばよい。
【００３９】
本発明において、鋼製系セグメントとは、鋼製セグメントだけでなく、鋳鉄製のセグメントをも含む意で、セグメントは断面円弧状のセグメント（断面円形等のトンネルの場合）あるいはフラット状のセグメント（断面矩形等のトンネルの場合）でもよい。なお、図示を省略するが、主桁６と継手板７には、セグメント間およびリング間の継手用ボルトの挿入孔が開設される。また、嵌合継手でセグメント間およびリング間を結合することがあり、この場合は、ボルトの挿入孔は必要としない。
【００４０】
＜第３実施形態＞
図４および図５は、本発明における鋼材とコンクリートとの境界面における鋼材の防食構造および防食方法をセグメントに適用した合成セグメントの防食構造を示す第３実施形態を示すものである。
【００４１】
この第３実施形態では、セグメント本体４ａ内部（内側）のほぼ全面である、各主桁６の内側面全面と継手板７の内側面全面と補強リブ１１のトンネル半径方向上面側全面および主桁６と継手板７のトンネル半径方向上面８を、前記実施形態と同様にこれらの部材の下地調整した後、ポリマーセメント層３が形成されているが、その他の構成は、前記実施形態と同様であるので、同様な部分には、同様な符号を付して説明を省略する。
【００４２】
この第３実施形態のように、鋼製系セグメント本体４ａの内側のほぼ全面および上面８をポリマーセメント層３により防食被覆すると、コンクリート５と当接する鋼材表面を確実に防錆できると共に、コンクリート５と鋼製系セグメント本体４ａとの一体化をさらに高めることができる。
【００４３】
前記各実施形態の場合には、セグメント内の主桁６および継手板７の内側面以外に、主桁６と継手板７のトンネル半径方向内側の上面８にポリマーセメント層３を設け、コンクリート５をセグメント内部全体のみならずトンネル内表面となるセグメント半径方向内側の外部側にも、内部コンクリート５と一体にコンクリート層１２を形成するようにしたが、本発明を実施形態する場合、セグメント内にのみコンクリートを充填するようにしてもよく、この場合には、主桁６および継手板７のトンネル半径方向内側となる上面８にポリマーセメント層３を形成したままとしてもよく、あるいは前記した通常の防食塗装等としてもよい。
【図面の簡単な説明】
【００４４】
【図１】本発明の鋼材の防食構造を基礎コンクリートとの境界面の橋脚に適用した第１実施形態を示すものであって、（ａ）は概略斜視図であり、（ｂ）は（ａ）の一部縦断側面図である。
【図２】本発明の鋼材の防食構造を中詰コンクリートとの境界面の鋼製系セグメントに適用する場合に、鋼製系セグメントにおけるトンネル内側となる一部表面にポリマーセメント層を設けると共に、セグメント内部および主桁と継手板の表面側にも内部コンクリートと一体にコンクリート層を設けた形態の合成セグメントにおけるコンクリートの一部を取り除いた状態を示す斜視図である。
【図３】（ａ）は図２の縦断正面図で、中詰コンクリートおよび表層側のコンクリート層の一部（右側）を取り除いた状態を示す縦断正面図であり、（ｂ）は図２の縦断側面図で、中詰コンクリートおよび表層側のコンクリートの一部（右側）を取り除いた状態を示す縦断側面図である。
【図４】本発明の鋼材の防食構造を中詰コンクリートとの境界面の鋼製系セグメントに適用する場合に、鋼製系セグメントにおけるトンネル内側のほぼ全表面にポリマーセメント層を設けると共に、セグメント内部および主桁と継手板の表面側にも内部コンクリートと一体にコンクリート層を設けた形態の合成セグメントにおけるコンクリートの一部を取り除いた状態を示す斜視図である。
【図５】（ａ）は図４の縦断正面図で、中詰コンクリートおよび表層側のコンクリート層の一部（右側）を取り除いた状態を示す縦断正面図であり、（ｂ）は図４の縦断側面図で、中詰コンクリートおよび表層側のコンクリートの一部（右側）を取り除いた状態を示す縦断側面図である。
【図６】（ａ）および（ｂ）は従来の橋脚または鋼製系セグメントの防食構造を示す断面図である。
【符号の説明】
【００４５】
１  鋼材
１ａ  鋼製橋脚
１ｂ  内外表面
２  コンクリート
２ａ  基礎コンクリート
３  ポリマーセメント層
４  鋼製系セグメント
４ａ  鋼製系セグメント本体
５  コンクリート
６  主桁
７  継手板
８  上面
９  合成セグメント
１０  スキンプレート
１１  補強リブ
１２  コンクリート層
１３  セグメント外面
１４  防食塗装
【図１】
2005232815.tif 000003
【図２】
2005232815.tif 000004
【図３】
2005232815.tif 000005
【図４】
2005232815.tif 000006
【図５】
2005232815.tif 000007
【図６】
2005232815.tif 000008